(57)【要約】【課題】洗面所やトイレ等にて使用される手乾燥装置において，使用者の身長差に関係なく手を挿入し快適に使用できる手乾燥装置を提供することを目的とする。【解決手段】上面開口部２と正面開口部３と、上面開口部２、正面開口部３から挿入された手を乾燥する乾燥室４と、本体内部には乾燥室４の下方に送風手段９としてブロワモータと、送風手段９の吹出し側に加熱手段１０としてＰＴＣヒーターを収納体１１に配置する。本体正面開口部３の上側には送風手段９の吹出し側に設けた加熱手段１０を通過した気流を吹出す吹出しノズル１２を設け、身長差に対応しそれぞれの開口部から挿入された手を快適に乾燥する手乾燥装置１が得られる。【選択図】図１
2008061732.tif 000002
【特許請求の範囲】
【請求項１】
手乾燥装置の上面と正面に開口部を備え、前記開口部から挿入された手を乾燥する乾燥室と、開口部から挿入された手を検知する手検知手段と、本体内部に送風手段と、前記送風手段の吹出し側に設けた加熱手段と、前記加熱手段を通過した気流を吹出す吹出しノズルを備え、前記吹出しノズルは正面開口部の上側に設け、前記手検知手段の検出信号により前記吹出しノズルから高速の温風を吹き出すことを特徴とする手乾燥装置。
【請求項２】
乾燥室側面に送風を排気する排気口を設け、前記吹出しノズルから吹出された気流を排気することを特徴とする請求項１記載の手乾燥装置。
【請求項３】
乾燥室底面に吹出しノズルから吹出された高速の温風を左右側面に整流する凹部を設け、前記吹出しノズルから吹出された気流を整流することを特徴とする請求項１または２記載の手乾燥装置。
【請求項４】
乾燥室底面に前記吹出しノズルから吹出された気流を吸気する吸気口を設け、前記送風手段の吸い込み側に接続し循環することを特徴とする請求項１から３のいずれかに記載の手乾燥装置。
【請求項５】
上面の開口部、正面の開口部のそれぞれに手検知手段を設け、検知異常を検出することを特徴とする請求項１から４のいずれかに記載の手乾燥装置。
【請求項６】
吹出しノズルの方向を可変する可変手段を設け、検知手段の検知信号により吹出しノズルの方向を可変することを特徴とする請求項５記載の手乾燥装置。
【請求項７】
二方向に吹出す二方向吹出しノズルを設け、正面開口部側の吹出し風により正面の開口部から漏れる水や気流を防ぐことを特徴とする請求項１から５のいずれかに記載の手乾燥装置。
【請求項８】
二方向に吹出す二方向吹出しノズルにそれぞれ異なるノズル孔を設け、それぞれ異なる風速を吹出すことを特徴とする請求項７記載の手乾燥装置。
【請求項９】
二方向に吹出す二方向吹出しノズルにそれぞれ独立したノズル風路とノズル風路を切換える風路切換手段を設け、手検知手段の検知信号により風路を切換えることを特徴とする請求項８記載の手乾燥装置。
【請求項１０】
二方向に吹出す二方向吹出しノズルそれぞれに独立した独立風路と可変送風手段を設け、吹出し風量を可変することを特徴とする請求項９記載の手乾燥装置。
【請求項１１】
使用者の身長を検知する身長検知手段を設け、身長検知手段の検知信号により吹出しを切換えることを特徴とする請求項６または１０に記載の手乾燥装置。
【請求項１２】
使用者に手を挿入する開口部を示す報知手段を設け、挿入する開口部を知らせることを特徴とする請求項１１記載の手乾燥装置。
【発明の詳細な説明】
【技術分野】
【０００１】
本発明は，洗面所やトイレ等にて手を洗い，濡れた手を温風にて乾燥させる手乾燥装置に関する。
【背景技術】
【０００２】
従来、この種の手乾燥装置として、高速の空気を濡れた手に当て手に付着している水滴を吹き飛ばして短時間乾燥するものが知られていた（例えば特許文献１参照）。
【０００３】
以下、手乾燥装置について図１３を参照しながら説明する。図１３に示すように、箱体１０１の正面及び側面に開口し、手を収納できる広さを有する手挿入部１０２と、箱体１０１に設けられた高速空気流を発生する送風機１０３と、手挿入部１０２の互いに対向した面にそれぞれ配置されたノズル１０４ａ、１０４ｂから高速空気流を噴出する構成とし、手乾燥機としての使い勝手を損なわず、ノズルから空気の風速と風量の増大を図り、短時間乾燥を実現するものである（特許文献１参照）。
【０００４】
また、図１４に示すように外部に向って開口した手挿入部１０２から手を抜き挿しできる処理空間１０６を有し、この処理空間１０６に挿入される手に対して高圧空気発生部１０７により生成される作動空気流を吹き当てて、作動気流の運動エネルギーにより手に付着した水分を払拭するものである（特許文献２参照）。
【特許文献１】特開２００１−０８７１６３号公報
【特許文献２】特開２００４−０００７１６号公報
【発明の開示】
【発明が解決しようとする課題】
【０００５】
このような従来の図１３の手乾燥装置では、固定設置された手乾燥装置の手挿入部へ手を挿入する場合、設置高さにより手の挿入角度が限定されるため挿入角度からはずれた身長が高い使用者にとっては前傾姿勢となり、身長が低い使用者にとっては手を無理に曲げて挿入しなければならず使用しづらいあるいは挿入できないという課題があった。
【０００６】
また、従来の図１４の手乾燥装置では、高圧空気発生部が手を乾燥する処理空間の上部にあるため処理空間が使用者の胸の高さあたりにない場合、手の乾燥状態を目視できず使用しにくいだけでなく身長差により手が挿入しづらいあるいは挿入できないという課題があった。
【０００７】
また、風速と風量を増大すると開口部から使用者へ向かって風が吹き返すという課題があった。
【０００８】
また、使用者が子供の場合には風速と風量を増大すると強すぎるため恐怖感を与えるという課題があった。
【０００９】
また、使用者の身長により吹出し方向を切換えることができないという課題があった。
【００１０】
また、使用者に事前に吹出し方向を知らせることができないという課題があった。
【００１１】
本発明は、上記従来の課題を解決するもので、使用者の身長差に関わらず快適に使用することができる手乾燥装置を提供することを目的としている。
【課題を解決するための手段】
【００１２】
本発明のサウナ装置は、上記目的を達成するために、上面と正面に開口部を備え、前記開口部から挿入された手を乾燥する乾燥室と、開口部から挿入された手を検知する手検知手段と、本体内部に送風手段と、前記送風手段の吹出し側に設けた加熱手段と、前記加熱手段を通過した気流を吹出す吹出しノズルを備え、前記吹出しノズルは正面開口部の上側に設け、前記手検知手段の検出信号により前記吹出しノズルから高速の温風を吹き出すことができる構成としたものである。
【００１３】
この手段により、上面と正面に濡れた手を挿入する開口部があり、背の高い人は上面の開口部から濡れた手を挿入でき、また、背の低い人は、正面の開口部から濡れた手を挿入できるなど、背の高さに合わせた開口部に濡れた手を挿入できる構成としたことにより、大人から子供まで、身長差に関係なく、濡れた手を無理なく挿入でき、快適に使用できる手乾燥装置が得られる。
【００１４】
また、他の手段は、乾燥室側面に気流を排気する排気口を設け、前記吹出しノズルから吹出された気流を排気することができる構成としたものである。
【００１５】
この手段により、開口部から使用者へ向かって風が吹き返すことを抑制することができる手乾燥装置が得られる。
【００１６】
また、他の手段は、乾燥室底面に吹出しノズルから吹出された高速の温風を左右側面に整流する凹部を設け、前記吹出しノズルから吹出された気流を整流することができる構成としたものである。
【００１７】
この手段により、手を乾燥するときに発生する乱流による騒音の低減と開口部から使用者へ向かって風が吹き返すことを抑制することができる手乾燥装置が得られる。
【００１８】
また、他の手段は、乾燥室底面に前記吹出しノズルから吹出された気流を吸気する吸気口を設け、前記送風手段の吸い込み側に接続し循環する構成としたものである。
【００１９】
この手段により、高速の温風を循環することによりヒーターの加熱を抑え吹出した温風を有効に利用することができる手乾燥装置が得られる。
【００２０】
また、他の手段は、上面の開口部、正面の開口部に手検知手段を設け、それぞれの開口部から挿入された手を検知する構成としたものである。
【００２１】
この手段により、上面の開口部、正面の開口部のそれぞれに手検知手段を設け、それぞれの開口部から挿入された手を検知し手を乾燥する構成とすることにより、上面の開口部と正面の開口部での同時検知は異常であり、物を入れられるなどのいたずら等の異常を検知することができる手乾燥装置が得られる。
【００２２】
また、他の手段は、吹出しノズルの方向を可変する可変手段を設け、検知手段の検知信号により吹出しノズルの方向を可変する構成としたものである。
【００２３】
この手段により、開口部から挿入された手を検知し、検知した手に向かって吹出しノズルの方向を可変することができる手乾燥装置が得られる。
【００２４】
また、他の手段は、二方向に吹出す二方向吹出しノズルを設け、正面開口部側の吹出し風により正面の開口部から漏れる水や気流を防ぐことができる構成としたものである。
【００２５】
この手段により、正面の開口部から使用者へ向かって漏れる水や気流を防ぐことができる手乾燥装置が得られる。
【００２６】
また、他の手段は、二方向に吹出す二方向吹出しノズルにそれぞれ異なるノズル孔を設け、それぞれ異なる風速を吹出すことができる構成としたものである。
【００２７】
この手段により、上面、正面の開口部から挿入した手に対して異なる風速で手を乾燥することができる手乾燥装置が得られる。
【００２８】
また、他の手段は、二方向に吹出す二方向吹出しノズルにそれぞれ独立した風路と風路を切換える風路切換え手段を設け、手検知手段の検知信号により風路を切換えることができる構成としたものである。
【００２９】
この手段により、開口部から挿入された手を検知し、検知した手側の風路に切換え吹出すことができる手乾燥装置が得られる。
【００３０】
また、他の手段は、二方向の吹出しノズルそれぞれに独立した風路と送風手段を設け、吹出し風量を可変することができる構成としたものである。
【００３１】
この手段により、送風手段を個別に制御し二方向の吹出しノズルから吹出し風量を個別に可変することができる手乾燥装置が得られる。
【００３２】
また、他の手段は、使用者の身長を検知する身長検知手段を設け、身長検知手段の検知信号により吹出しを切換えることができる構成としたものである。
【００３３】
この手段により、検出信号から事前に吹出し方向を変更し手挿入時から快適に手乾燥できる手乾燥装置が得られる。
【００３４】
また、他の手段は、使用者に手を挿入する開口部を示す報知手段を設け、挿入する開口部を知らせることができる構成としたものである。
【００３５】
この手段により、使用者に合った開口部を知らせることにより無理な体勢を取ることなく快適に手乾燥することができる手乾燥装置が得られる。
【発明の効果】
【００３６】
本発明によれば、身長差に関係なく手を挿入し快適に使用できる手乾燥装置を提供できる。
【００３７】
また、開口部から使用者へ向かって風が吹き返すことを抑制することができる手乾燥装置を提供できる。
【００３８】
また、手を乾燥するときに発生する乱流による騒音の低減と開口部から使用者へ向かって風が吹き返すことを抑制することができる手乾燥装置を提供できる。
【００３９】
また、高速の温風を循環することによりヒーターの加熱を抑え吹出した温風を有効に利用することができる手乾燥装置を提供できる。
【００４０】
また、上面の開口部、正面の開口部に手検知手段を設け、それぞれの開口部から挿入された手を検知し手を乾燥し誤動作防止することができる手乾燥装置を提供できる。
【００４１】
また、開口部から挿入された手を検知し、検知した手に向かって吹出しノズルの方向を可変することができる手乾燥装置を提供できる。
【００４２】
また、正面の開口部から使用者へ向かって漏れる水や気流を防ぐことができる手乾燥装置を提供できる。
【００４３】
また、上面、正面の開口部から挿入した手に対して異なる風速で手を乾燥することができる手乾燥装置を提供できる。
【００４４】
また、開口部から挿入された手を検知し、検知した手側の風路に切換え吹出すことができる手乾燥装置を提供できる。
【００４５】
また、送風手段を個別に制御し二方向の吹出しノズルから吹出し風量を個別に可変することができる手乾燥装置を提供できる。
【００４６】
また、検出信号から事前に吹出し方向を変更し手挿入時から快適に手乾燥できる手乾燥装置を提供できる。
【００４７】
また、使用者に合った開口部を知らせることにより無理な体勢を取ることなく快適に手乾燥することができる手乾燥装置を提供できる。
【発明を実施するための最良の形態】
【００４８】
以下、本発明の実施の形態について図面を参照しながら説明する。
【００４９】
（実施の形態１）
図１に示すように、手乾燥装置１は、上面開口部２と正面開口部３と、上面開口部２、正面開口部３から挿入された手を乾燥する乾燥室４と、乾燥室４の底部には手から吹き飛ばされた水分を排出する排水口５を設け、本体の底部には排出された水滴を溜めるドレンタンク６を設け、排水口５とドレンタンク６は排水管７にて接続される。ドレンタンク６の後部には吸込口８を開口し、送風手段９に空気が取り込まれる。本体内部には乾燥室４の下方に送風手段９としてブロワモータと、送風手段９の吹出し側に加熱手段１０としてＰＴＣヒーターを収納体１１に配置する。本体正面開口部３の上側には送風手段９の吹出し側に設けた加熱手段１０を通過した気流を吹出す吹出しノズル１２を設け、収納体１１と吹出しノズル１２は風路１３により接続される。乾燥室４上部背面には手検知手段１４として赤外線センサが配置される。本体内部側面に配設する制御手段１５は手検知手段１４の検知信号により送風手段９を制御することができるように構成する。
【００５０】
上記構成において、手乾燥装置１の配置高さは上面開口部２が床面から８５ｃｍから１００ｃｍとなるように配置する。上面開口部２は標準的な大人が使用しやすい高さであり、正面開口部３は、子供などの標準的な大人より脊の低い人が使用しやすい高さとすることができる。上面開口部２、正面開口部３から挿入された手を検知すると、送風手段９の運転を開始し加熱手段１０を通過した気流は温風となり吹出しノズル１２から高速の温風８０ｍ／ｓから１３０ｍ／ｓを吹出す。吹出された高速の温風は、手の水滴を吹き飛ばし乾燥することができる。温風は、ＰＴＣヒータなどの加熱手段１０で吹出しノズル１２からの吹出し空気が濡れた手を乾かす程度に加熱されていればよく、例えば、５０〜６０℃程度に加熱されている。
【００５１】
（実施の形態２）
次に、本発明の実施の形態２について図面を参照しながら説明する。なお、実施の形態１と同一のものは同一番号を付し、その詳細な説明を省略する。
【００５２】
図２に示すように、図１の構成に加えて乾燥室側面に排気口１６を設け、吹出しノズル１２から吹出された気流を排気することができるように構成する。
【００５３】
上記構成において、手乾燥中に吹出しノズル１２から吹出された気流は、手の水滴を吹き飛ばした後、乾燥室４の底部で跳ね返るが、跳ね返った気流は排気口１６から排気されることにより、開口部から使用者へ向かって風が吹き返すことを抑制することができる。
【００５４】
（実施の形態３）
次に、本発明の実施の形態３について図面を参照しながら説明する。なお、実施の形態１または２と同一のものは同一番号を付し、その詳細な説明を省略する。
【００５５】
図３に示すように、図１または図２の構成に加えて乾燥室４底部に吹出しノズル１２から吹出された気流を左右側面に整流する凹部１７を設け、吹出しノズル１２から吹出された気流を左右側面に整流し排気口１６から排気することができるように構成する。
【００５６】
上記構成において、手乾燥中に吹出しノズル１２から吹出された気流は、手の水滴を吹き飛ばした後、乾燥室４の底部で左右側面に整流され、その整流することにより気流の衝突を抑制し騒音の低減をはかり開口部から使用者へ向かって風が吹き返すことを抑制することができる。
【００５７】
（実施の形態４）
次に、本発明の実施の形態４について図面を参照しながら説明する。なお、実施の形態１から３と同一のものは同一番号を付し、その詳細な説明を省略する。
【００５８】
図４に示すように、図１から図３のいずれかの構成に加えて、乾燥室４底部に吹出しノズル１２から吹出された気流を吸気する循環吸込口１８を設け、循環吸込口１８は送風手段９の吸込み側に接続し循環することができるように構成する。
【００５９】
上記構成において、手乾燥時にはヒーター等の加熱手段１０により加熱された温風が吹出しノズル１２から吹出され循環吸込口１８から送風手段９の吸込み側へ送られ、吸い込まれた温風と吸込口８から吸い込まれた空気は混合され、送風手段９から加熱手段１０を通過する。高速の温風を循環することにより、省エネ加熱となり、吹出した温風を有効に利用することができる。
【００６０】
（実施の形態５）
次に、本発明の実施の形態５について図面を参照しながら説明する。なお、実施の形態１から４と同一のものは同一番号を付し、その詳細な説明を省略する。
【００６１】
図５に示すように、図１から図４のいずれかの構成に加えて上面開口部２に配置される上面手検知手段１９ａ、１９ｂ正面開口部３に配置される正面手検知手段２０ａ、２０ｂとして発光素子と受光素子を制御手段１５に接続し、上面、正面に手が挿入されたことを検知することができるように構成する。
【００６２】
上記構成において、上面開口部２から手が挿入されると上面手検知手段１９ａ、１９ｂの検知信号により送風手段９の運転を開始する。同様に正面開口部３から手が挿入されると正面手検知手段２０ａ、２０ｂの検知信号により送風手段９の運転を開始する。また、濡れた手を上面開口部２と正面開口部３から同時に挿入することはありえず、したがって、同時に検知信号を受けた場合には、物の挿入などのいたずら等の異常と判断し、送風手段９の運転を停止する。背の高さに合わせて、上面開口部２と正面開口部３のそれぞれに挿入された手の検知信号により、送風手段９を運転するので効率よく手乾燥が行え、また、いたずら等の異常の検知も行うことができる。
【００６３】
（実施の形態６）
次に、本発明の実施の形態６について図面を参照しながら説明する。なお、実施の形態５と同一のものは同一番号を付し、その詳細な説明を省略する。
【００６４】
図６に示すように、図５の構成に加えて吹出しノズル１２の送風方向を可変する可変手段２１としてのルーバーを制御手段１５に接続し、上面手検知手段１９ａ、１９ｂ、正面手検知手段２０ａ、２０ｂの検知信号により吹出しノズル１２の送風方向を可変することができるように構成する。
【００６５】
上記構成において、上面開口部２から手が挿入されると上面手検知手段１９ａ、１９ｂの検知信号により可変手段２１の吹出し方向を上面開口部２側へ可変させ、送風手段９の運転を開始する。同様に正面開口部３から手が挿入されると正面手検知手段２０ａ、２０ｂの検知信号により可変手段２１の吹出し方向を正面開口部３側へ可変させ、送風手段９の運転を開始する。それぞれの開口部から挿入された手に向けて吹出し方向を可変することにより手の乾燥性能を向上することができる。
【００６６】
（実施の形態７）
次に、本発明の実施の形態７について図面を参照しながら説明する。なお、実施の形態１から５と同一のものは同一番号を付し、その詳細な説明を省略する。
【００６７】
図７に示すように、図１から５のいずれかの構成に加えて乾燥室４底部の奥側へ向かって吹出す吹出し方向と乾燥室４底部の手前側へ向かって吹出す吹出し方向の二方向に吹出す二方向吹出しノズル２２を設け、乾燥室４底部の手前側の吹出し風により正面開口部３から漏れる気流や水滴を防ぐことができるように構成する。
【００６８】
上記構成において、上面開口部２から手が挿入されると手検知手段１４の検知信号により送風手段９の運転を開始し、二方向吹出しノズル２２から二方向に同時に高速の温風が吹出される。上面開口部２から挿入された手は、二方向吹出しノズル２２の乾燥室４底部の奥側へ向かって吹出す吹出し風により手乾燥を行い、手の跳ね返り風や手から吹き飛ばされた水滴は乾燥室４底部の手前側の吹出し風により正面開口部３から使用者へ向かって飛散することを防ぐことができる。また、正面開口部３から挿入された手は二方向吹出しノズル２２の乾燥室４底部の手前側へ向かって吹出す吹出し風により手を乾燥することができる。
【００６９】
（実施の形態８）
次に、本発明の実施の形態８について図面を参照しながら説明する。なお、実施の形態７と同一のものは同一番号を付し、その詳細な説明を省略する。
【００７０】
図８に示すように、図７の構成に加えて乾燥室４底部の奥側へ向かって吹出すノズル孔Ａ２３と乾燥室４底部の手前側へ向かって吹出すノズル孔Ｂ２４を設け、ノズル孔Ｂ２４はノズル孔Ａ２３より孔径を大きくすることにより吹出す風速を弱めることができるように構成する。例えば、ノズル孔Ａ２３の孔径をφ２ｍｍ程度とすると、ノズル孔Ｂの孔径は約φ４ｍｍ程度である。
【００７１】
上記構成において、上面開口部２から手が挿入されると手検知手段１４の検知信号により送風手段９の運転を開始する。二方向吹出しノズル２２から二方向に同時に高速の温風が吹出される。上面開口部２を使用する人は、ノズル孔Ａ２３から吹出す高速の吹出し風により手乾燥を行う。また、正面開口部３を使用対象とする子供は、ノズル孔Ｂ２４から吹出す風速と風量を抑えた吹出し風により手乾燥を行うことにより、恐怖感を与えることなく使用することができる。
【００７２】
なお、本実施例の形態８では、ノズル孔に丸穴を用いたがスリット形状としても同様の効果をもたらす。
【００７３】
（実施の形態９）
次に、本発明の実施の形態９について図面を参照しながら説明する。なお、実施の形態８と同一のものは同一番号を付し、その詳細な説明を省略する。
【００７４】
図９に示すように、図８の構成に加えて二方向吹出しノズルのノズル孔にそれぞれ独立したノズル風路Ａ２５、ノズル風路Ｂ２６と、送風手段９からの気流をノズル風路Ａ２５、ノズル風路Ｂ２６に切換える風路切換手段２７としてのルーバーを設ける構成とする。
【００７５】
上記構成において、上面開口部２から手が挿入されると上面手検知手段１９ａ、１９ｂの検知信号により、ノズル孔Ａ２３、ノズル孔Ｂ２４から高速の温風を吹出すように風路切換手段２７をノズル風路Ａ２５、ノズル風路Ｂ２６の開口が同じとなる中央に切換え、送風手段９の運転を開始する。二方向吹出しノズル２２から二方向に同時に高速の温風が吹出され、上面開口部２から挿入された手は、二方向吹出しノズル２２の乾燥室４底部の奥側へ向かって吹出す吹出し風により手乾燥を行い、手の跳ね返り風や手から吹き飛ばされた水滴は乾燥室４底部の手前側の吹出し風により正面開口部３から使用者へ向かって飛散することを防ぐことができる。
【００７６】
同様に正面開口部３から手が挿入されると正面手検知手段２０ａ、２０ｂの検知信号により、ノズル孔Ｂ２４から高速の温風を吹出すように風路切換手段２７をノズル風路Ａ２５側へ切換え、送風手段９の運転を開始する。二方向吹出しノズル２２のノズル孔Ｂ２４から高速の温風が乾燥室４底部の手前側に向かって吹出され、吹出しを片側だけにすることにより吹出しによる騒音を低減することができる。
【００７７】
（実施の形態１０）
次に、本発明の実施の形態１０について図面を参照しながら説明する。なお、実施の形態９と同一のものは同一番号を付し、その詳細な説明を省略する。
【００７８】
図１０に示すように、図９の構成に加えてそれぞれ独立した独立風路Ａ２８、独立風路Ｂ２９と、可変送風手段Ａ３０、可変送風手段Ｂ３１と、加熱手段Ａ３２、加熱手段Ｂ３３と、風量を設定する風量スイッチＡ３４、風量スイッチＢ３５が本体側面に配置され制御手段１５に接続される。加熱手段としては、加熱できればよく、例えばＰＴＣヒータなどがある。
【００７９】
上記構成において、上面開口部２から手が挿入されると上面手検知手段１９ａ、１９ｂの検知信号により、風量スイッチＡ３４の設定風量にて可変送風手段Ａ３０が運転を開始しノズル孔Ａ２３から高速の温風を吹出す。同時に風量スイッチＢ３５の設定風量にて可変送風手段Ｂ３１が運転を開始しノズル孔Ｂ２４から高速の温風を吹出す。
【００８０】
可変送風手段としては、可変送風できればよく、例えば、インバータ制御によるブロワモータなどがある。
【００８１】
同様に、正面開口部３から手が挿入されると正面手検知手段２０ａ、２０ｂの検知信号により、風量スイッチＡ３４の設定風量により可変送風手段Ａ３０が運転を開始しノズル孔Ａ２３から高速の温風を吹出す。同時に風量スイッチ風量スイッチＢ３５の設定風量により可変送風手段可変送風手段Ｂ３１が運転を開始しノズル孔Ｂ２４から高速の温風を吹出す。これにより二方向の吹出し風量をそれぞれ可変することができる。
【００８２】
（実施の形態１１）
次に、本発明の実施の形態１１について図面を参照しながら説明する。なお、実施の形態６と同一のものは同一番号を付し、その詳細な説明を省略する。
【００８３】
図１１に示すように、図６の構成に加えて本体正面上部に配置される身長検知手段３６として赤外線センサを制御手段１５に接続し、使用者の身長を検知することができるように構成する。
【００８４】
上記構成において、身長検知手段３６の検知範囲を床面から１４０ｃｍ以上となるように設定する。身長検知手段３６からの検知信号により、可変手段２１の吹出し方向を上面開口部２側へ可変させる。身長検知手段３６からの検知信号がない場合は、可変手段２１の吹出し方向を正面開口部３側へ可変させる。身長検知手段３６の検知信号により事前に吹出し方向を可変させておくことにより、最良の状態にてすぐに手乾燥を行うことができる。
【００８５】
（実施の形態１２）
次に、本発明の実施の形態１２について図面を参照しながら説明する。なお、実施の形態１１と同一のものは同一番号を付し、その詳細な説明を省略する。図１２に示すように、図１１の構成に加えて吹出しノズル１２の正面に配置される報知手段３１としてＬＥＤを制御手段１５に接続し、使用者に手を挿入する開口部を知らせることができるように構成する。
【００８６】
上記構成において、身長検知手段３６の検知範囲を床面から１４０ｃｍ以上となるように設定する。身長検知手段３６からの検知信号により、上面開口部２側の報知手段３７を点灯させる。また、身長検知手段３６からの検知信号がない場合は、正面開口部３側の報知手段３８を点灯させる。身長検知手段３６の検知信号により事前に使用者に対して報知することにより、使用者に合った開口部を知らせることにより無理な体勢を取ることなく快適に手乾燥することができる手乾燥装置が得られる。
【００８７】
なお、本実施の形態１２では、報知手段としてＬＥＤを用いたが、音声を用いても同様の作用効果をもたらす。
【産業上の利用可能性】
【００８８】
高速の温風により、ヘアードライヤー、ボディードライヤー等にも適用できる。
【図面の簡単な説明】
【００８９】
【図１】本発明の実施の形態１の手乾燥装置の構成を示す側面概略図
【図２】同手乾燥装置の実施の形態２の手乾燥装置の構成を示す側面概略図
【図３】同手乾燥装置の実施の形態３の手乾燥装置の構成を示す正面概略図
【図４】同手乾燥装置の実施の形態４の手乾燥装置の構成を示す側面概略図
【図５】同手乾燥装置の実施の形態５の手乾燥装置の構成を示す側面概略図
【図６】同手乾燥装置の実施の形態６の手乾燥装置の構成を示す側面概略図
【図７】同手乾燥装置の実施の形態７の手乾燥装置の構成を示す側面概略図
【図８】同手乾燥装置の実施の形態８のノズル孔を示す図
【図９】同手乾燥装置の実施の形態９の手乾燥装置の構成を示す正面概略図
【図１０】同手乾燥装置の実施の形態１０の手乾燥装置の構成を示す正面概略図
【図１１】同手乾燥装置の実施の形態１１の手乾燥装置の構成を示す側面概略図
【図１２】同手乾燥装置の実施の形態１２の手乾燥装置の構成を示す正面概略図
【図１３】従来の手乾燥装置の構成を示す側面概略図
【図１４】従来の手乾燥装置の構成を示す側面概略図
【符号の説明】
【００９０】
１        手乾燥装置
２        上面開口部
３        正面開口部
４        乾燥室
５        排水口
６        ドレンタンク
７        排水管
８        吸込口
９        送風手段
１０      加熱手段
１１      収納体
１２      吹出しノズル
１３      風路
１４      手検知手段
１５      制御手段
１６      排気口
１７      凹部
１８      循環吸込口
１９ａ    上面手検知手段
１９ｂ    上面手検知手段
２０ａ    正面手検知手段
２０ｂ    正面手検知手段
２１      可変手段
２２      二方向吹出しノズル
２３      ノズル孔Ａ
２４      ノズル孔Ｂ
２５      ノズル風路Ａ
２６      ノズル風路Ｂ
２７      風路切換手段
２８      独立風路Ａ
２９      独立風路Ｂ
３０      可変送風手段Ａ
３１      可変送風手段Ｂ
３２      加熱手段Ａ
３３      加熱手段Ｂ
３４      風量スイッチＡ
３５      風量スイッチＢ
３６      身長検知手段
３７      報知手段
３８      報知手段
１０１    箱体
１０２    手挿入部
１０３    送風機
１０４ａ  ノズル
１０４ｂ  ノズル
１０５    手挿入口
１０６    処理空間
１０７    高圧空気発生部
【図１】
2008061732.tif 000003
【図２】
2008061732.tif 000004
【図３】
2008061732.tif 000005
【図４】
2008061732.tif 000006
【図５】
2008061732.tif 000007
【図６】
2008061732.tif 000008
【図７】
2008061732.tif 000009
【図８】
2008061732.tif 000010
【図９】
2008061732.tif 000011
【図１０】
2008061732.tif 000012
【図１１】
2008061732.tif 000013
【図１２】
2008061732.tif 000014
【図１３】
2008061732.tif 000015
【図１４】
2008061732.tif 000016